(57)【要約】【課題】入力画像に基づいて出力機器で出力する際に、色再現性やコントラストを確保することを可能にする。【解決手段】色変換修正部は、入力画像と、出力機器の色再現域を取得する取得部と、前記入力画像に基づく色空間によって前記入力画像の色分布を取得する制御部と、を有し、前記制御部は、前記色分布が前記出力機器の色再現域である色域の内外に分布しているか判定し、前記色分布と前記色域との位置関係によって、色域境界部の色変換方法を変更して色変換テーブルを修正する。【選択図】図７
2020098382.tif 000002
【特許請求の範囲】
【請求項１】
入力画像と、出力機器の色再現域を取得する取得部と、
前記入力画像に基づく色空間によって前記入力画像の色分布を取得する制御部と、を有し、
前記制御部は、前記色分布が前記出力機器の色再現域である色域の内外に分布しているか判定し、前記色分布と前記色域との位置関係によって、色域境界部の色変換方法を変更して色変換テーブルを修正することを特徴とする色変換テーブル修正部。
【請求項２】
前記制御部は、前記入力画像の第１の色空間をデバイスに依存しない第２の色空間へ変換し、前記第２の色空間によって前記色分布を取得することを特徴とする請求項１記載の色変換テーブル修正部。
【請求項３】
前記制御部は、前記色分布として前記入力画像の一つのオブジェクトの色分布を取得することを特徴とする請求項１または２に記載の色変換テーブル修正部。
【請求項４】
前記制御部は、前記色分布が、前記色域の内側と、前記色域の外側に分布しているかによって、前記色域境界部の色変換方法を変更することを特徴とする請求項１〜３のいずれか１項に記載の色変換テーブル修正部。
【請求項５】
前記制御部は、前記色分布が、前記色域の内側と、前記色域の外側の分布が、一定のコントラストがあるかによって、前記色域境界部の色変換方法を変更することを特徴とする請求項１〜４のいずれか１項に記載の色変換テーブル修正部。
【請求項６】
前記制御部は、前記色分布が、前記色域の内側と、前記色域の外側に分布しているかの判定に、色相の分布が一定範囲内に入っているかによって、前記色域境界部の色変換方法を変更することを特徴とする請求項１〜５のいずれか１項に記載の色変換テーブル修正部。
【請求項７】
前記制御部は、前記色分布が、前記色域の内側と、前記色域の外側に分布しているかの判定に、一定面積以上の分布を占めているかによって、前記色域境界部の色変換方法を変更することを特徴とする請求項１〜６のいずれか１項に記載の色変換テーブル修正部。
【請求項８】
前記制御部は、前記色域の外側に分布している色は、前記色域表面に写像し、前記色域の内側の色は前記色域のさらに内側に圧縮することを特徴とする請求項１〜７のいずれか１項に記載の色変換テーブル修正部。
【請求項９】
前記制御部は、前記色分布が、前記色域の内側の分布位置に応じて、前記色域の内側の色の圧縮レベルを変更することを特徴とする請求項８記載の色変換テーブル修正部。
【請求項１０】
前記制御部は、前記色域の内側の分布位置が、前記色域外の色との色差が所定の値より大きい場合には、前記色域の内側の色の写像レベルを小さくし、前記色差が所定の値より小さい場合には、前記色域の内側の色の写像レベルを大きくすることを特徴とする請求項８または９に記載の色変換テーブル修正部。
【請求項１１】
前記制御部は、前記入力画像におけるページ内、あるいは、複数ページ内のファイル内に存在するオブジェクトごとに、前記色域境界部の色変換方法を変更する請求項１〜１０のいずれか１項に記載の色変換テーブル修正部。
【請求項１２】
前記制御部は、オブジェクトごとの色分布によって前記色域境界部の色変換方法を変えるか否かを、ユーザーによって選択可能にする請求項１〜１１のいずれか１項に記載の色変換テーブル修正部。
【請求項１３】
前記制御部は、ユーザーによる選択において、オブジェクトごとに色変換テーブルを指定できるか、オブジェクトタイプごとに色変換テーブルを指定できるか、自動で色域境界部の色変換方法を指定するかを選択可能にする請求項１２に記載の色変換テーブル修正部。
【請求項１４】
入力画像に基づく色空間によって入力画像の色分布を取得する制御部で実行されるプログラムであって、
前記プログラムは、前記制御部に、前記色分布が出力機器の色再現域の内外に分布しているか判定し、前記色分布と前記出力機器の色再現域である色域との位置関係によって、前記色域境界部の色変換方法を変更して色変換テーブルを修正する工程を実行させる色変換テーブル修正プログラム。
【発明の詳細な説明】
【技術分野】
【０００１】
この発明は、入力画像の色分布と出力機器の色再現域との関係によって色変換を行う色変換テーブル修正部および色変換テーブル修正プログラムに関するものである。
【背景技術】
【０００２】
画像をプリンターや表示部などの出力機器において出力する際に、画像の色分布が出力機器の色域の内側（暗い色や低彩度色）と、色域の外側の色（高彩度色）とが混在する場合がある。このような画像をそのまま出力すると、出力機器において、色域の外側の色が正しく出力されないため、色の再現性が低下してしまう。
このような画像において、色域外の色を色域表面に写像（クリッピング）する色再現を行うと、色域の内側の色と外側の色の明暗差や彩度差がなくなり、コントラストが低くなった画像になってしまう。一方、全体的に色空間を小さくする写像（マッピング）を行うと、コントラストは維持されやすいものの、測色値的には好ましくない画像になってしまう。
これに対し、特許文献１では、は画像の色分布に応じて色域変換方法を切り替える技術が提案されている。具体的には、色分布のヒストグラムが均一ならば、マッピング（色域の圧縮）をし、ピーキーな分布をしていれば、クリッピング（色域表面への写像）を行う。
【先行技術文献】
【特許文献】
【０００３】
【特許文献１】特開特開２００２−２７２６３号公報
【発明の概要】
【発明が解決しようとする課題】
【０００４】
しかし、先行技術では、不要な色域圧縮が生じたり、色再現性やコントラストが確保できなかったりする問題がある。
【０００５】
本願発明は、上記事情を背景としてなされたものであり、入力画像に基づいて出力機器で出力する際に、不要な色域圧縮を防ぐことができ、色再現性の確保と、コントラストの確保を両立することができる色変換テーブル修正部および色変換テーブル修正プログラムを提供することを目的とする。
【課題を解決するための手段】
【０００６】
本発明の色変換テーブル修正部のうち、第１の形態は、入力画像と、出力機器の色再現域を取得する取得部と、前記入力画像に基づく色空間によって前記入力画像の色分布を取得する制御部と、を有し、
前記制御部は、前記色分布が前記出力機器の色再現域である色域の内外に分布しているか判定し、前記色分布と前記色域との位置関係によって、色域境界部の色変換方法を変更して色変換テーブルを修正することを特徴とする。
【０００７】
他の形態の色変換テーブル修正部の発明は、前記形態の発明において、前記制御部は、前記入力画像の第１の色空間をデバイスに依存しない第２の色空間へ変換し、前記第２の色空間によって前記色分布を取得することを特徴とする。
【０００８】
他の形態の色変換テーブル修正部の発明は、前記形態の発明において、前記制御部は、前記色分布として前記入力画像の一つのオブジェクトの色分布を取得することを特徴とする。
【０００９】
他の形態の色変換テーブル修正部の発明は、前記形態の発明において、前記制御部は、前記色分布が、前記色域の内側と、前記色域の外側に分布しているかによって、前記色域境界部の色変換方法を変更することを特徴とする。
【００１０】
他の形態の色変換テーブル修正部の発明は、前記形態の発明において、前記制御部は、前記色分布が、前記色域の内側と、前記色域の外側の分布が、一定のコントラストがあるかによって、前記色域境界部の色変換方法を変更することを特徴とする。
【００１１】
他の形態の色変換テーブル修正部の発明は、前記形態の発明において、前記制御部は、前記色分布が、前記色域の内側と、前記色域の外側に分布しているかの判定に、色相の分布が一定範囲内に入っているかによって、前記色域境界部の色変換方法を変更することを特徴とする。
【００１２】
他の形態の色変換テーブル修正部の発明は、前記形態の発明において、前記制御部は、前記色分布が、前記色域の内側と、前記色域の外側に分布しているかの判定に、一定面積以上の分布を占めているかによって、前記色域境界部の色変換方法を変更することを特徴とする。
【００１３】
他の形態の色変換テーブル修正部の発明は、前記形態の発明において、前記制御部は、前記色域の外側に分布している色は、前記色域表面に写像し、前記色域の内側の色は前記色域のさらに内側に圧縮することを特徴とする。
【００１４】
他の形態の色変換テーブル修正部の発明は、前記形態の発明において、前記制御部は、前記色分布が、前記色域の内側の分布位置に応じて、前記色域の内側の色の圧縮レベルを変更することを特徴とする。
【００１５】
他の形態の色変換テーブル修正部の発明は、前記形態の発明において、前記制御部は、前記色域の内側の分布位置が、前記色域外の色との色差が所定の値より大きい場合には、前記色域の内側の色の写像レベルを小さくし、前記色差が所定の値より小さい場合には、前記色域の内側の色の写像レベルを大きくすることを特徴とする。
【００１６】
他の形態の色変換テーブル修正部の発明は、前記形態の発明において、前記制御部は、前記入力画像におけるページ内、あるいは、複数ページ内のファイル内に存在するオブジェクトごとに、前記色域境界部の色変換方法を変更する。
【００１７】
他の形態の色変換テーブル修正部の発明は、前記形態の発明において、前記制御部は、オブジェクトごとの色分布によって前記色域境界部の色変換方法を変えるか否かを、ユーザーによって選択可能にする。
【００１８】
他の形態の色変換テーブル修正部の発明は、前記形態の発明において、前記制御部は、ユーザーによる選択において、オブジェクトごとに色変換テーブルを指定できるか、オブジェクトタイプごとに色変換テーブルを指定できるか、自動で色域境界部の色変換方法を指定するかを選択可能にする。
【００１９】
本発明の色変換テーブル修正プログラムは、入力画像に基づく色空間によって入力画像の色分布を取得する制御部で実行されるプログラムであって、
前記プログラムは、前記制御部に、前記色分布が出力機器の色再現域の内外に分布しているか判定し、前記色分布と前記出力機器の色再現域である色域との位置関係によって、前記色域境界部の色変換方法を変更して色変換テーブルを修正する工程を実行させる。
【発明の効果】
【００２０】
本発明によれば、画像の色分布に応じて、色変換方法を切り替えることができ、不要な色域圧縮を防ぐことができ、色再現性の確保と、コントラストの確保を両立することができる効果がある。
【図面の簡単な説明】
【００２１】
【図１】本実施形態における入力画像と色修正後の色分布を示す図である。
【図２】従来例における入力画像と色修正後の色分布を示す図である。
【図３】本実施形態の変換テーブル修正部を含む画像出力システムを示す概略図である。
【図４】本実施形態における制御ブロックを示す図である。
【図５】本実施形態の処理手順を示すフローチャートである。
【図６】同じく、色域外の色を色域表面に写像し、色域内の色を内側に写像する手順を示すフローチャートである。
【図７】本実施形態における入力画像と色修正後の色分布を処理内容と合わせて示す図である。
【図８】同じく、処理の設定におけるユーザーインターフェースを示す図である。
【図９】同じく、ソースプロファイルとデスティネーションプロファイルの変換例を説明する図である。
【図１０】同じく、入力されたＣＭＹＫ値をデバイスリンクプロファイルのＬＵＴを通して、目的のＣＭＹＫ値に変換する例を説明する図である。
【発明を実施するための形態】
【００２２】
本発明の実施形態の説明に先立って、先ず、従来技術と、その課題について図２に基づいて説明する。
図２の図Ａに入力画像の例と、色分布を示す。色分布は、縦軸に明度、横軸に彩度をとり、実線の三角が使用するプリンターの色域である。プリンター印刷時に、色域外の色を色域表面にクリッピングすると、コントラストが低下した画像になってしまう（図Ｂ）。
すなわち、ページ内の画像オブジェクトに色域内外の色が分布している場合、色域外をクリッピングするだけでは、コントラストが低下してしまう。
【００２３】
そこで、本実施形態では、そのような色分布が存在する場合、色域内の色を内側に写像することで、コントラストの低下を防ぐことができる（図１の図Ｃ）。また、オブジェクトごとに処理を行うため、不要な色域圧縮の処理を行わないで済む。例えば、色域内側の色がコーポレートカラーなど、重要な色と同一だった場合、重要色は写像せずに測色値をキープすることができる。
【００２４】
以下に、本発明の実施形態について添付図面に基づいて具体的に説明する。
図３は、画像出力システム１００の概略構成を示すものであり、用紙などの記録媒体に画像を出力するプリンター１、画像データの処理を行うコントローラー２、色変換テーブル作成および修正を行う色変換テーブル作成（修正）装置３、出力指示端末４を有しており、それぞれがＬＡＮ、ＷＡＮなどのネットワークで接続されている。色変換テーブル作成（修正）装置３は、コントローラー２から画像とプロファイル情報を受け取り、画像ごとの色分布と、プリンターの色域情報をもとに、色域境界部の色変換写像計算が行われ、コントローラー２のプリンタープロファイルに修正をかける。オブジェクトの数のぶんだけプリンタープロファイルを登録する。コントローラー２はその修正されたプリンタープロファイルをもとに色変換処理を実施する。なお、色変換テーブル作成（修正）装置３は、本発明の色変換修正部としての構成を有している。
以下、具体的に説明する。
【００２５】
出力指示端末４からは、入力画像をコントローラー２に送信し、コントローラー２ではＲＩＰなどの画像処理をする。処理済みの入力画像は、コントローラー２によって色変換テーブル作成（修正）部３に送られて、色変換テーブルが修正される。また、コントローラー２では、修正された色変換テーブルに基づいて画像の補正が行われ、プリンター１に送られ、プリンター１で記録媒体に画像形成が行われる。
【００２６】
色変換テーブル作成（修正）装置３は、コントローラー２から画像とプロファイル情報を受け取り、画像ごとの色分布と、プリンターの色域情報をもとに、色域境界部の色変換写像計算が行われ、コントローラーのプリンタープロファイルに修正をかける。オブジェクトの数のぶんだけプリンタープロファイルを登録する。コントローラーはその修正されたプリンタープロファイルをもとに色変換処理を実施する。すなわち、色変換テーブル作成（修正）装置３には、本発明の制御部およびプログラムが格納されている。
【００２７】
次に、画像出力システム１００の制御ブロックを図２に基づいて説明する。
出力指示端末４およびプリンター１は、ネットワーク５を介してコントローラー２に接続されている。
出力指示端末４には、操作部などを備え、ユーザによる操作部指示などによって印刷の指示を行うことができる。
プリンター１は、図示しない画像形成部を有し、コントローラー２から送られる処理済みの画像データを受けて用紙などの記録媒体に印刷を行う。
【００２８】
コントローラー２は、出力指示端末４からの入力画像と、プリンター１に処理済みの画像を送って出力指示を行うラスターイメージプロセッサ（ＲＩＰ）２０を有している。ラスターイメージプロセッサ（ＲＩＰ）２０は、ベクターイメージなどをラスターイメージデータに変換するものである。また、コントローラー２には、ソース（ターゲット）プロファイル取得部２１を有している。ソース（ターゲット）プロファイルは、ラスター化した画像データの色空間を示すプロファイルおよびターゲットのプロファイルを取得する。
さらに、コントローラー２には、プリンター（デスティネーション）プロファイル取得部２２を有している。プリンター（デスティネーション）プロファイル取得部２２は、プリンターなどからプリンタープロファイルを取得する。
さらに、コントローラー２には、色変換（プロファイル適用計算）部２３を有している。色変換（プロファイル適用計算）部２３は、プロファイルを適用して色変換を行う。
コントローラー２は、前記したように、ネットワーク５を介して色変換テーブル作成（修正）装置３に接続されている。
【００２９】
色変換テーブル作成（修正）装置３には、コントローラー２に接続された画像取得部３０が接続されている。画像取得部３０では、コントローラー２でラスター化された画像を取得する。
また、色変換テーブル作成（修正）装置３には、色変換部（ＣＭＹＫ→Ｌ＊ａ＊ｂ）３１を有している。色変換部（ＣＭＹＫ→Ｌ＊ａ＊ｂ）３１は、ＣＭＹＫの画像データの色空間をＬ＊ａ＊ｂ＊の色空間に変更する。ＣＭＹＫの画像データの色空間は、第１の色空間に相当し、Ｌ＊ａ＊ｂ＊の色空間は第２の色空間に相当する。
【００３０】
さらに、色変換テーブル作成（修正）装置３には、色分布取得部３２を有している。色分布取得部３２は、色変換された画像データから色分布を取得する。
さらに、色変換テーブル作成（修正）装置３には、プリンター色域取得部３３を有している。プリンターの色域は、コントローラー２で取得しているプリンター（デスティネーション）プロファイルから得ることができる。
さらに、色変換テーブル作成（修正）装置３には、色域境界色変換写像計算部３４を有している。色域境界色変換写像計算部３４は、色域境界にある色を写像するように計算を行う。
【００３１】
さらに、色変換テーブル作成（修正）装置３には、プロファイル修正部３５を有している。プロファイル修正部３５では、色域境界色変換写像計算部３４で計算した結果に基づいて、プロファイルすなわちテーブルを修正する。修正されたプロファイルはコントローラー２に送られ、修正プロファイルを適用して色変換される。色変換された画像データはコントローラー２からプリンターに送られ、印刷が行われる。
色変換テーブル作成（修正）装置３では、色変換部（ＣＭＹＫ→Ｌ＊ａ＊ｂ＊）３１、色分布取得部３２、色境界色変換写像計算部３４、プロファイル修正部３５は、この実施形態では、本発明の制御部として機能する。また、画像取得部３０、プリンター色域取得部３３は、この実施形態では、本発明の取得部として機能する。これら各部において動作するプログラムには、本発明のプログラムが含まれている。
【００３２】
次に、画像データに対する各処理の手順を図５のフローチャートに基づいて説明する。  先ず、色変換テーブルを取得し（ステップｓ１）、入力画像から測色値を取得する（ステップｓ２）。
色変換テーブルの取得では、ソースプロファイルとデスティネーションプロファイル＜Ａｐｐｅｎｄｉｘ  参照＞の両方を読み込む。なお、入力画像がスキャナーの場合はスキャナーのＲＧＢ値を測色値（Ｌ＊ａ＊ｂ＊やＸＹＺ値）に変換するスキャナープロファイルが必要になる。
【００３３】
入力画像は、ＰＤＦなどのデータの場合と、スキャナーの入力画像およびＰＤＦの場合がある。前者の場合は、ＰＤＦデータをＲＩＰ処理し、ＣＭＹＫ値とソースプロファイルを用いて測色値を取得する。後者の場合は、スキャナーの画像からスキャナープロファイルを用いて測色値を取得する。後者の場合にＰＤＦが必要な理由はオブジェクトの特定が容易なためである。
【００３４】
次いで、出力プリンターの色域情報を取得し（ステップｓ３）、オブジェクトの色分布を取得する（ステップｓ４）。
出力プリンターの色域情報を取得では、プリンターのデスティネーションプロファイルのＡ２Ｂ情報を用いることで、そのプリンターの色域情報を取得することができる。
オブジェクトの色分布の取得では、均等色空間であるＬ＊ａ＊ｂ＊色空間が望ましいが、色の見えモデルなど、各種表色系を用いても構わない。
【００３５】
色分布から、所定色範囲内に、プリンターの色域の内側と色域の外側に色分布が存在しているかを判定する（ステップｓ５）。
所定の色範囲内において、色域の内側と外側の両方に存在しているかを判定する際には、ある程度のコントラストがあることを判定条件にしても良い。ここで、所定の色範囲は、色相で切るのが簡便で良い、明度も考慮した区分で区切っても良い。色域を区切らないと、別系統の色（例えば色域外の赤と色域内の緑）においても、色域境界を挟むと判断してしまうからである。このような色の場合は色相によるコントラストがついているので、コントラストを維持する処理は不要である。また、両方に存在しているかの判定に、そのオブジェクトの一定面積を占めているかを判定基準にしてもよい。微小エリアにおいては、コントラストの維持を行う必要がなく、不要な写像による誤差を発生させないほうが良い。
【００３６】
上記判定で、色域の内側と色域の外側に色分布が存在していなければ（ステップｓ５、Ｎ）、色域外の色を色域表面に写像し（ステップｓ７）、ステップｓ８に移行する。
色域内外の両方に存在していない場合は、色域外の色はプリンター色域表面に写像する。
色域の内側と色域の外側に色分布が存在していれば（ステップｓ５、Ｙ）、色域外の色を色域表面に写像し、色域内の色を内側に写像し（ステップｓ７）、ステップｓ８に移行する。
すなわち、色域の外側と内側両方に存在している場合は、色域外の色はプリンター色域表面に写像し、色域内の色は内側に写像する。
【００３７】
ステップｓ８では、ステップｓ６またはｓ７の計算結果に基づいて色変換テーブルを修正する。
この色変換テーブルはプリンターのデスティネーションプロファイルを指す。
次に、すべての色域において、所定色範囲内の分布確認をしたかを判定する（ステップｓ９）。この処理では、区切った所定色範囲ごとに処理を行い、色分布の前色領域においてプロファイル修正が完了したかを確認する。
【００３８】
すべての色域において、所定色範囲内の分布確認をしていなければ（ステップｓ９、Ｎ）、ステップｓ５に戻って、所定の色範囲内で色分布が存在しているかを判定する。
すべての色域において、所定色範囲内の分布確認をしていれば（ステップｓ９、Ｙ）、すべてのオブジェクトの色変換テーブルを修正したかを判定する（ステップｓ１０）。
すべてのオブジェクトの色変換テーブルを修正していなければ（ステップｓ１０、Ｎ）、
ステップｓ４に戻って、新たなオブジェクトの色分布を取得する。
すべてのオブジェクトの色変換テーブルを修正していれば（ステップｓ１０、Ｙ）、修理を終了する。
【００３９】
上記手順では、オブジェクトごとに処理を行うため、不要な色域圧縮の処理を行わないで済む。例えば、色域内側の色がコーポレートカラーなど、重要な色と同一だった場合、重要色は写像せずに測色値をキープすることができる。
【００４０】
以下に、色域外の色を色域表面に写像し色域内の色を内側に写像する処理のサブルーチンを図６に基づいて説明をする。
先ず写像目標を決める（ステップｓ２０）。
色域内および色域外の色を写像するためには目標となる写像先を決める必要がある。写像先としては色域の中心にしてもよいし、色相や明度ごとに目標を切り替えても良い。
次いで、対象の色が色域外かを判定する（ステップｓ２１）。
色域外の場合（ステップｓ２１、Ｙ）、対象の色と、写像目標を結んだ線分と、色域表面との交点を求める。
次いで、交点を写像先として採用する（ステップｓ２３）。上記処理にて、色域表面を計算する。色域外の色が一色ではない場合、階調性を持たせるために、色域外でも、一番外側の色は表面に写像し、それ以外の色域外の色は少し内側に写像する方法もある。
【００４１】
ステップｓ２１で、対象の色が色域外でない場合（ステップｓ２１、Ｎ）、内側の色分布と、外側の分布との距離を測定する（ステップｓ２４）。距離を測定することで、当該色分布におけるコントラストを求めることができる。
次いで、上記距離に応じて、内側の色の写像量を計算する（ステップｓ２５）。
さらに、対象の色を写像目標方向に上記写像量だけ写像したものを写像先として採用する（ステップｓ２６）。色域内の色の写像量は二者の色分布によって変えることが望ましい。二者の色分布によるコントラストが十分に大きい場合には内側の写像量は微小で構わないが、色域外の写像によってコントラストが半分になるような場合には、大きめの写像をする必要がある。
【００４２】
図７の例では２点だけであるが、ある程度広範囲に渡って色が分布している場合は、色域内でも外側の色と内側の色によって、写像量を変えても良い。例えば、内側の色を大きく動かし、外側の色は少しだけ動かす、など。
上記サブルーチンの説明をしたが、変形例としては、上記方法での写像によるコントラストを確保するのが困難な場合は、色相方向に写像することで、コントラストを維持する方法もある。特に連続階調ではないグラフィックオブジェクトの場合では、色相を写像しても問題ない場合が多い。
また、内側の色の写像レベルを当該色分布におけるコントラストに基づいて処理を決めているが、ユーザーによってカスタマイズできてもよい。その場合はプレビュー表示をもたせて入力をサポートできると、なお良い。
【００４３】
また、上記の処理をユーザーの指定によって、実施の有無を切り替えてもよい。
図８にユーザーインターフェース３００の例を示す。
本実施形態の機能を「画像ごと最適化」という設定がされた場合のみ実施する。有効でない場合は、従来のＩＣＣ  プロファイルに準拠した形で色変換処理が実施される。また、オブジェクトタイプ（グラフィック、テキスト、イメージ）ごとに、設定できても良い。
図の例では、グラフィックオブジェクトは従来のＩＣＣプロファイルの彩度レンダリングで計算されるが、テキストとイメージオブジェクトでは本実施形態の通り、オブジェクトごとに色分布を見てプロファイルの修正を行う。
【００４４】
図８のユーザーインターフェース３００では、オブジェクトタイプである、グラフィック、テキスト、イメージ毎に設定が可能になっており、グラフィックに関するプロファイルを表示するグラフィックプロファイル欄３０１、テキストに関するプロファイルを表示するテキストプロファイル欄３０２、イメージに関するプロファイルを表示するイメージプロファイル欄３０３を有している。各オブジェクトに関し、レンダリングインテント欄が設けられており、グラフィック欄３１０では、「彩度」、テキスト欄３１１では、「画像ごと最適化」、イメージでは欄３１２、「画像ごと最適化」が定められている。設定内容は、ＯＫ釦３２０の押下により設定が確定し、キャンセル釦３２１の押下により設定がキャンセルされる。
【００４５】
＜Ａｐｐｅｎｄｉｘ＞
色変換テーブルの補正について
色変換テーブルはプロファイルとも呼ばれ、プロファイルのなかでも、ＩＣＣプロファイル（ｈｔｔｐ：／／ｗｗｗ．ｃｏｌｏｒ．ｏｒｇ／）が印刷業界のみならず、ＩＴ業界においても広く使われており、実質、デファクトスタンダードとなっている。
ＩＣＣ  プロファイルによるカラーマネージメントの中でも、大きく分けて下記の、
・  デバイスプロファイル（以下、ＤＰ）を用いた方法と、
・  デバイスリンクプロファイル（以下、ＤＬＰ）を用いた方法、の２通りがある。
【００４６】
・ＤＰの場合
デバイス値（ＣＭＹＫ値やＲＧＢ値）は、機種に依存した値なので、機種独立な値（ＸＹＺ  値やＬ＊ａ＊ｂ＊値）へ対応付けたものがＤＰである。ＤＰは、デバイス値から機種独立値へのＬＵＴと機種独立値からデバイス値へのＬＵＴから構成され、例えば、ＣＭＹＫプリンターのＤＰ場合、ＣＭＹＫ  からＬ＊ａ＊ｂ＊のＬＵＴ（Ａ２Ｂと呼ぶ）と、Ｌ＊ａ＊ｂ＊からＣＭＹＫのＬＵＴ（Ｂ２Ａと呼ぶ）から構成される。この機種独立の値は、プロファイルをつなぐ色空間となることから、プロファイルコネクションスペースと呼ばれる。
【００４７】
なお、色再現ポリシーの違いにより、レンダリングインテントを設定することができる。これは、知覚、測色的、彩度から選ぶことができ、ＬＵＴは３種類持つことになる。
色変換を行うには、目標とするデバイスのＤＰが必要となり、それをソースプロファイルと呼ぶ（ターゲットプロファイルと呼ぶこともある）。例えば、オフセット印刷機のプロファイルや、Ｊａｐａｎ  Ｃｏｌｏｒなど標準的なプロファイルが選択されることになる。そして、出力するデバイスのＤＰ  をデスティネーションプロファイルと呼ぶ（プリンタープロファイルと呼ぶこともある）。これは、実際に出力しているプリンターのプロファイルが選択されることになる。
そして、入力されたＣＭＹＫ値はソースプロファイルのＡ２Ｂを通して機種独立の値になり、デスティネーションプロファイルのＢ２Ａを通してＣＭＹＫ値に変換される。（図９参照）。この変換を経ることで、目標とするデバイス（ソース）のＣＭＹＫ値に対応する、ＣＭＹＫ  値をプリンター（デスティネーション）で出すことができる。
【００４８】
・ＤＬＰの場合
ＤＬＰは上記の変換の過程、デバイス値−＞機種独立値−＞デバイス値の変換をひとつのＬＵＴにしたものである。つまり、入力のデバイス値と出力のデバイス値を関連付けたＬＵＴである。変換時の変換が一度ですみ、ＣＭＹＫの場合、３次元のＬ＊ａ＊ｂ＊などに変換しなくて良いので、情報の欠損（墨版の情報などは残したい）が少なくなる。ただし、この情報だけでは、機種独立値を取得することは出来なくなる。
ＤＬＰの場合、レンダリングインテントの概念はなく、ひとつのＬＵＴのみ持つ。よって、入力されたＣＭＹＫ値はデバイスリンクプロファイルのＬＵＴを通して、目的のＣＭＹＫ値を出力することができる（図１０参照）。
【００４９】
以上、本発明について、上記実施形態に基づいて説明を行ったが、本発明の範囲を逸脱しない限りは、本実施形態に対する適宜の変更が可能である。
【符号の説明】
【００５０】
１    プリンター
２    コントローラー
３    色変換テーブル作成（修正）装置
４  出力指示端末
５  ネットワーク
２１  ソース（ターゲット）プロファイル取得部
２２  プリンター（デスティネーション）プロファイル取得部
２３  色変換（プロファイル適用計算）部
３０  画像取得部
３２  色分布取得部
３３  プリンター色域取得部
３４  色域境界色変換写像計算部
３５  プロファイル修正部
１００  画像出力システム
３００  ユーザーインターフェース
【図１】
2020098382.tif 000003
【図２】
2020098382.tif 000004
【図３】
2020098382.tif 000005
【図４】
2020098382.tif 000006
【図５】
2020098382.tif 000007
【図６】
2020098382.tif 000008
【図７】
2020098382.tif 000009
【図８】
2020098382.tif 000010
【図９】
2020098382.tif 000011
【図１０】
2020098382.tif 000012